(57)【要約】【課題】駆動軸を鍍金処理し、必要な速度で被駆動部材を駆動する。【解決手段】鍍金材の密着性を確保するために先ず駆動軸となる樹脂母材の表面を脱脂、プリエッチングを行う。続いて、第２工程で洗浄して表面調整後に触媒を付与し、第３工程で活性化し無電解鍍金を施す。なお、無電解鍍金の膜厚は処理時間の長さにより、調整することができる。最後に、第４工程で乾燥を行う。【選択図】図２
2011193570.tif 000002
【特許請求の範囲】
【請求項１】
電気機械変換素子と、該電気機械変換素子に固定する棒状の駆動部材と、該駆動部材に摩擦接触する被駆動部材とを有し、前記電気機械変換素子の伸縮により前記駆動部材を介して前記被駆動部材を移動させる駆動装置において、前記駆動部材は表面を鍍金処理した樹脂材料から成ることを特徴とする駆動装置。
【請求項２】
前記駆動部材は前記鍍金処理により鍍金前よりも曲げ弾性率を高くしたことを特徴とする請求項１に記載の駆動装置。
【請求項３】
前記駆動部材の鍍金は無電解ニッケル鍍金であることを特徴とする請求項１又は２に記載の駆動装置。
【請求項４】
前記駆動部材は粒子状又は繊維状のガラス、セラミック、炭素の何れか、或いはこれらの少なくとも２つの混合物を含む樹脂材料であることを特徴とする請求項１〜３の何れか１つの請求項に記載の駆動装置。
【請求項５】
請求項１〜４の何れか１つの請求項に記載の駆動装置を使用した光量調節装置。
【発明の詳細な説明】
【技術分野】
【０００１】
本発明は、精密機器や映像機器等に内蔵された被駆動部材である移動物体を駆動するための駆動装置に関するものである。
【背景技術】
【０００２】
従来、光学機器のレンズ駆動装置や光量調節装置の駆動装置としては、ステッピングモータドライブ、ボイスコイルドライブ、圧電素子ドライブ等を利用したものが知られている。
【０００３】
しかし、光学機器の小型化に対応して、これらの駆動装置はより一層の小型化が求められており、特許文献１においては、駆動装置として電気機械変換素子である圧電素子を使用したものが開示されている。
【０００４】
更に、特許文献２においては、このような電気機械変換素子を使用した駆動装置の被駆動部材の移動を高速化するために、駆動軸を繊維強化樹脂の複合材料により形成したものが開示されている。
【先行技術文献】
【特許文献】
【０００５】
【特許文献１】特開平４−６９０７０号公報
【特許文献２】特開平７−２７４５４４号公報
【発明の概要】
【発明が解決しようとする課題】
【０００６】
上記のような圧電素子等の電気機械変換素子を使用した駆動装置において、高速駆動を実現するためには、電気機械変換素子の伸縮を大きく又は高速で行わせるために、駆動電圧を上げたり、駆動周波数を上げる必要がある。
【０００７】
しかし、駆動軸の重量が大きいほど、又は弾性率が小さいほど駆動装置の応答遅れが大きくなり、被駆動部材の移動速度や移動量が低下し、ついには移動不可能となる。
【０００８】
また、特許文献２に示すように、駆動軸を繊維強化樹脂の複合材料により形成した場合には、上述のような特性上の問題は解決できるものの、加工性が悪く、部材のコストアップの要因となる。
【０００９】
本発明の目的は、上述の問題点を解消し、安価で高速に被駆動部材を駆動することができる電気機械変換素子を用いた駆動装置を提供することにある。
【課題を解決するための手段】
【００１０】
上記目的を達成するための本発明に係る駆動装置は、電気機械変換素子と、該電気機械変換素子に固定する棒状の駆動部材と、該駆動部材に摩擦接触する被駆動部材とを有し、前記電気機械変換素子の伸縮により前記駆動部材を介して前記被駆動部材を移動させる駆動装置において、前記駆動部材は表面を鍍金処理した樹脂材料から成ることを特徴とする。
【発明の効果】
【００１１】
本発明によれば、駆動軸に鍍金処理した成形性の良い樹脂材料を使用することにより、必要な速度で被駆動部材を駆動できる安価な駆動装置が得られる。
【図面の簡単な説明】
【００１２】
【図１】駆動装置の斜視図である。
【図２】鍍金工程のフローチャート図である。
【図３】曲げ弾性率の特性グラフ図である。
【図４】光量調節装置の斜視図である。
【発明を実施するための形態】
【００１３】
本発明を図示の実施例に基づいて詳細に説明する。
図１は本実施例におけるカメラに装着されたレンズの駆動に応用された駆動装置の斜視図を示している。
【００１４】
フレーム１上には、３本の支持部２〜４が立設され、支持部２、３により駆動部材である棒状の駆動軸５が軸方向に変位自在に支持されている。駆動軸５には、被駆動部材であるレンズの鏡筒６を支持する支持体７の摺動嵌合部７ａ、７ｂが摺動自在に摩擦接触して挿通されている。
【００１５】
また、支持部４には駆動軸５の軸方向に変位する電気機械変換素子の一種である圧電素子８が固定され、この圧電素子８の一端には駆動軸５の端部が固定されている。
【００１６】
更に、支持体７の摺動嵌合部７ａ、７ｂの下面には、中央部分に上向きに屈曲した屈曲部９ａを有する板ばね９が固定され、屈曲部９ａが駆動軸５に圧接され、駆動軸５と板ばね９の接触部に適当な摩擦力を発生させている。
【００１７】
圧電素子８にデューティ（Ｄｕｔｙ）比を変化させた波形を有するパルス波を印加すると、圧電素子８はパルス波形に応じて伸縮する。このとき、波形デューティ比により立ち上がり立ち下りの速度を異ならせると、振動モードと摩擦の関係で支持体７が駆動軸５の方向に進む。つまり、駆動軸５が徐々に伸びる信号を付与すると、駆動軸５と支持体７が摩擦力で接合した状態で変位し、駆動軸５が急激に縮む際には駆動軸５だけが変位する。
【００１８】
このことを繰り返すことにより、支持体７、更には鏡筒６が移動する。このように駆動軸５は支持体７の移動に伴い、常に支持体７の摺動嵌合部７ａ、７ｂ及び板ばね９の屈曲部９ａと摩擦力を持って摺動する。
【００１９】
また、本実施例における駆動軸５は、ポリカーボネート等の一般的な射出成形により加工可能な樹脂材料が使用され、加工のし易さから断面が円形の円柱形状としたが、必要に応じてＤ形状や角形状等にしてもよい。なお、成形方法も射出成形に限らず、一般的に公知な他の成形方法を利用することができる。
【００２０】
この樹脂材料には、曲げ弾性率を高めるためにガラスフィラ又はガラスビーズのような繊維状又は粒子状のガラス、セラミック、炭素等、又はこれらの少なくとも２つの混合物を添加してもよい。添加量は成形性を勘案しながら適宜に決定すればよいが、添加物が多過ぎると成形品の表面に露出し、摩擦抵抗を増加させる可能性がある。
【００２１】
本実施例においては上述の方法により樹脂成形した駆動軸５の弾性係数を更に高めて、高速駆動が可能となるように、駆動軸５の表面に無電解ニッケル鍍金処理を施している。
【００２２】
図２は無電解鍍金処理の一般的な工程図を示しており、鍍金材の密着性を確保するために先ず駆動軸５となる樹脂母材の表面を脱脂し、プリエッチングを行う。続いて、第２工程で洗浄して表面調整後に触媒を付与し、第３工程で活性化し無電解鍍金を施す。なお、無電解鍍金の膜厚は処理時間の長さにより、調整することができる。最後に、第４工程で乾燥を行う。
【００２３】
図３はポリカーボネート樹脂を母材とした駆動軸５に無電解鍍金を施した場合の膜厚と曲げ弾性率の特性グラフ図を示している。鍍金処理を施すと鍍金前よりも曲げ弾性率が高くなり、鍍金の膜厚が厚くなるにつれて、曲げ弾性率が向上し、高速振動の追従が可能になり、駆動軸５をより高速に動かすことが可能となる。なお、樹脂母材に前述の添加物を添加すれば、当然これよりも高い値を示すことになる。
【００２４】
また、鍍金は駆動軸５の表面を滑らかにすることが可能なので、摩擦力を低減することもできるが、鍍金の膜厚を厚くし過ぎると処理時間が長く掛かり、また鍍金皮膜にクラックが生じたり、母材から剥離したりする虞れがある。
【００２５】
また、ニッケル鍍金以外でも銅鍍金やクロム鍍金、或いはこれらの複合鍍金等、樹脂母材の曲げ弾性率を向上できるものであれば利用可能である。鍍金方法も無電解鍍金以外でも可能であるが、電極の形成等の問題があるため、無電解鍍金が望ましい。
【００２６】
なお、駆動軸５として使用可能な弾性率は、使用する装置に求められる性能によって変化する。即ち、被駆動部材の質量や、装置として求められる移動速度によって、鍍金の膜厚や添加物の量を調節すればよい。
【００２７】
図４は実施例１における駆動装置を、ビデオカメラ等の撮像装置に使用した光量調節装置の斜視図を示している。地板１１に取り付けられた圧電素子８により伸縮する駆動軸５と、この駆動軸５に摩擦接触して移動する被駆動部材である伝達部材１２とを有している。伝達部材１２は更に光量調節羽根１３、１４に係合し、これらを進退させて、光量調節装置を通過する光量を調整する。なお、地板１１には光量調節羽根１３、１４の走行スペースを確保するためのカバー板１５が取り付けられている。
【００２８】
図１に示すような光学機器のレンズの鏡筒６、及び図４に示すようなカメラの絞り装置として動作する光量調節装置の光量調節羽根１３、１４を駆動する場合、駆動軸５の弾性率は８００００ＭＰａ程度必要である。このため、図４に示すような絞り装置の実施例において、図３の関係を基に鍍金の膜厚を９〜５８μｍとしたところ、良好な作動が認められた。なお、鍍金の膜厚が５８μｍを超えると作動は良好であったが、一部に鍍金の剥がれが発生したものがあった。
【００２９】
このように、本発明の駆動装置を使用することにより、必要な性能を満足させた装置の小型化が実現できる。
【符号の説明】
【００３０】
１  フレーム
２、３  支持部
５  駆動軸
６  鏡筒
７  支持体
８  圧電素子
９  板ばね
１１  地板
１２  伝達部材
１３、１４  光量調節羽根
１５  カバー板
【図１】
2011193570.tif 000003
【図２】
2011193570.tif 000004
【図３】
2011193570.tif 000005
【図４】
2011193570.tif 000006